(57)【要約】【課題】光ディスクの欠陥管理機能を有するフォーマットで記録された光ディスクを、記録された光ディスク装置以外で再生する場合であっても、欠陥遷移判定基準閾値の実質的な変化を補正することが可能となり、光ディスク装置間の再生互換性を向上させる光ディスク再生方法および光ディスク装置を提供することを目的とする。【解決手段】本発明は、上記の課題を解決するためになされたものであって、光ディスクの欠陥管理機能を有するフォーマットで記録された光ディスクを再生する光ディスク再生方法であって（Ｓ１１〜Ｓ１４）、光ディスクの欠陥管理機能により作成された欠陥管理情報（Ｓ１５〜Ｓ１６）に基づき、欠陥管理機能を動作させる欠陥検知レベルが変更されること（Ｓ１７〜Ｓ２１）を特徴とするものである。【選択図】図６
2006190369.tif 000002
【特許請求の範囲】
【請求項１】
光ディスクの欠陥管理機能を有するフォーマットで記録された光ディスクを再生する光ディスク再生方法であって、前記光ディスクの欠陥管理機能により作成された欠陥管理情報に基づき、前記欠陥管理機能を動作させる欠陥検知レベルが変更されることを特徴とする光ディスク再生方法。
【請求項２】
前記欠陥検知レベルの変更は、光ディスクを再生する前に、光ディスク面上の所定の領域で、あらかじめ前記欠陥管理機能を動作させ、その結果に基づいて、前記欠陥検知レベルが変更されることを特徴とする請求項１に記載の光ディスク再生方法。
【請求項３】
前記光ディスク面上の所定の領域は、欠陥ブロックと非欠陥ブロックが混在する領域であることを特徴とする請求項１、２のいずれか１項に記載の光ディスク再生方法。
【請求項４】
前記あらかじめ行う欠陥管理機能の光ディスク面上での調査範囲は、前記光ディスク面上の欠陥ブロックが集中している領域の外縁部であることを特徴とする請求項１〜３のいずれか１項に記載の光ディスク再生方法。
【請求項５】
前記欠陥検知レベルの変更は、前記光ディスク面上の欠陥ブロックの存在分布に基づくことを特徴とする請求項１〜４のいずれかに記載の光ディスク再生方法。
【請求項６】
光ディスクの欠陥管理機能を有するフォーマットで記録された光ディスクを再生する光ディスク装置であって、
光ディスクに対して情報の記録又は再生の少なくとも一方を行なう光ピックアップと、光ディスクを回転させる回転駆動手段と、光ディスクの欠陥管理機能を動作させる欠陥検知手段とを備え、
前記欠陥検知手段は、前記光ディスクの欠陥管理機能により作成された欠陥管理情報に基づき、欠陥検知レベルを変更することを特徴とする光ディスク装置。
【請求項７】
前記光ディスクの欠陥管理機能を有するフォーマットは、ＣＤ−ＭＲＷとＤＶＤ＋ＭＲＷであることを特徴とする請求項１〜６のいずれかに記載の光ディスク再生方法および光ディスク装置。
【発明の詳細な説明】
【技術分野】
【０００１】
本発明は、光ディスクに対して情報の再生を行なう光ディスク再生方法および光ディスク装置に関するものである。
【背景技術】
【０００２】
光学記録再生用媒体として、ＣＤ−ＲＯＭ／Ｒ／ＲＷ、ＤＶＤ−ＲＯＭ／ＲＡＭ／Ｒ／ＲＷなどがすでに実用化されており、各方面への応用と高性能化への開発が活発に行われている。
【０００３】
以下、従来の光ディスク装置の構成について、図７を参照して説明する。
【０００４】
図７は、従来の光ディスク装置の構成を示すブロック図である。図７において、１１は光ディスク、１２はピックアップモジュール、１３はスピンドルモータ、１４はフィードモータ、１５はサーボモジュール、１６は信号処理部、１７はＣＰＵ、１８はメインメモリ、１９はバッファメモリ、１１０はインターフェース、１１１はホストコンピュータである。
【０００５】
光ディスク装置は、ピックアップモジュール１２、スピンドルモータ１３、フィードモータ１４、サーボモジュール１５、信号制御部１６、ＣＰＵ１７、メインメモリ１８、バッファメモリ１９、インターフェース１１０から構成されており、ホストコンピュータ１１１に接続され、光ディスク１１に記録されたデータをホストコンピュータ１１１に出力する。
【０００６】
光ピックアップ手段であるピックアップモジュール１２には、レーザ発光素子（図示せず）を有した光ピックアップが設けられ、光ディスク１１にレーザ光を照射することにより、データの記録または再生を行う。スピンドルモータ１３は光ディスク１１の回転を行ない、光ピックアップの移動手段であるフィードモータ１４はピックアップモジュール１２をスピンドルモータ１３に近づいたり離れたり移動させ、サーボモジュール１５はフィードモータ１４の移動とスピンドルモータ１３の回転数を制御する。インターフェース１１０は、ホストコンピュータ１１１とのデータ信号の送信および受信を行い、ＣＰＵ１７はメインメモリ１８を備え、メインメモリ１８に記録されたプログラムにより、サーボモジュール１５、信号制御部１６、およびインターフェース１１０の制御などを行う。バッファメモリ１９は、光ディスク１１から読み込んだデータを一時的に記憶し、インターフェース１１０経由でホストコンピュータ１１１へ転送する領域である。
【０００７】
記録型の光ディスクに関しては、市場の要望により、記録領域内の傷や指紋などを要因とする様々な記録時または再生時の欠陥に対して、欠陥部分を代替するスペア領域を提供し、欠陥部の記録データをスペア領域に代替記録することで、欠陥による記録データの消失の機会を減らすＣＤ−ＭＲＷやＤＶＤ＋ＭＲＷなどの規格を代表とする欠陥代替記録方式が提案されている。
【０００８】
例えば、ＣＤ−ＭＲＷ規格とは、ＣＤ−ＲＷを規定するオレンジブック（ＯｒａｎｇｅＢｏｏｋ）規格を逸脱しない範囲で、ＣＤ−ＲＷを記録または再生できる光ディスク装置とＣＤ−ＲＷの光ディスクによって実現される欠陥管理の方法を規定する規格である。
【０００９】
光ディスク面上の欠陥情報を管理する手法としては、光ディスク面上の欠陥ブロックのアドレスとその代替ブロックのアドレスの対応を管理する欠陥情報管理表を持ち、光ディスクへの記録時または再生時に検知した欠陥ブロックとそれを代替する代替ブロックのアドレス情報を欠陥情報管理表に登録し、この欠陥情報管理表を光ディスク面上の特定の箇所に記録する方法が一般的である。ここで、欠陥ブロックとは、欠陥セクタを意味する。  
【００１０】
この分野の先行例としては、（特許文献１）等がある。
【特許文献１】特開２００３−２８１８２８号公報
【発明の開示】
【発明が解決しようとする課題】
【００１１】
しかしながら、光ディスク面上の記録時における欠陥検知能力と再生時における欠陥検知能力は、光ディスク装置のサーボ系やピックアップ系の性能の影響を受けやすく、装置毎の個体差が大きい。
【００１２】
特に欠陥ブロックと非欠陥ブロックが混在する領域であり、非欠陥ブロックから欠陥ブロックへの遷移域、または欠陥ブロックから非欠陥ブロックへの遷移域である欠陥遷移域では、その個体差が表面化しやすく、一方の光ディスク装置で非欠陥ブロックとして登録したブロックにもかかわらず、他方の光ディスク装置では欠陥ブロックとして検知し再生できないことが多々発生する場合がある。
【００１３】
これは、光ディスク装置のサーボ系やピックアップ系の性能の影響により、欠陥管理機能を動作させるための欠陥検知レベルが異なることが一つの要因となっている。そのため、この一方の光ディスク装置と他方の光ディスク装置間の再生互換性の問題があるため、欠陥代替記録方式の普及は進んでいない。
【００１４】
本発明は、上記課題を解決するためになされたものであって、光ディスクの欠陥管理機能を有するフォーマットで記録された光ディスクを、記録された光ディスク装置以外で再生する場合であっても、光ディスク装置間の再生互換性を向上させる光ディスク再生方法および光ディスク装置を提供することを目的とする。
【課題を解決するための手段】
【００１５】
本発明は、光ディスクの欠陥管理機能を有するフォーマットで記録された光ディスクを再生する光ディスク再生方法であって、光ディスクの欠陥管理機能により作成された欠陥管理情報に基づき、欠陥管理機能を動作させる欠陥検知レベルが変更されることを特徴とする光ディスク再生方法である。
【００１６】
また、本発明の光ディスク装置は、光ディスクの欠陥管理機能を有するフォーマットで記録された光ディスクを再生する光ディスク装置であって、光ディスクに対して情報の記録又は再生の少なくとも一方を行なう光ピックアップと、光ディスクを回転させる回転駆動手段と、光ディスクの欠陥管理機能を動作させる欠陥検知手段とを備え、欠陥検知手段は、前記光ディスクの欠陥管理機能により作成された欠陥管理情報に基づき、欠陥検知レベルを変更することを特徴とする光ディスク装置である。
【発明の効果】
【００１７】
本発明は上記構成により、光ディスクの欠陥管理機能により作成された欠陥管理情報に基づき、欠陥管理機能を動作させる欠陥検知レベルが変更されるため、記録した光ディスク装置以外の光ディスク装置で再生した場合であっても、欠陥管理機能を動作させる欠陥検知レベルを光ディスク装置毎に再調整することが可能となり、光ディスク装置間での再生互換性を向上させることができる。
【００１８】
そのため、光ディスクの欠陥管理機能を有するフォーマットで記録された光ディスクを、記録された光ディスク装置以外で再生する場合であっても、欠陥管理機能を動作させるための欠陥検知レベルの光ディスク装置間での差を補正することが可能となり、光ディスク装置間の再生互換性を向上させる光ディスク再生方法および光ディスク装置を実現することができる。
【発明を実施するための最良の形態】
【００１９】
請求項１記載の発明は、光ディスクの欠陥管理機能を有するフォーマットで記録された光ディスクを再生する光ディスク再生方法であって、前記光ディスクの欠陥管理機能により作成された欠陥管理情報に基づき、前記欠陥管理機能を動作させる欠陥検知レベルが変更されることを特徴とするものである。光ディスクの欠陥管理機能により作成された欠陥管理情報に基づき、欠陥管理機能を動作させる欠陥検知レベルが変更されるため、記録した光ディスク装置以外の光ディスク装置で再生した場合であっても、欠陥管理機能を動作させる欠陥検知レベルを光ディスク装置毎に再調整することが可能となり、光ディスク装置間での再生互換性を向上させることができる。そのため、光ディスクの欠陥管理機能を有するフォーマットで記録された光ディスクを、記録された光ディスク装置以外で再生する場合であっても、欠陥管理機能を動作させるための欠陥検知レベルの光ディスク装置間での差を補正することが可能となり、光ディスク装置間の再生互換性を向上させる光ディスク再生方法を実現することができる。
【００２０】
請求項２記載の発明は、前記欠陥検知レベルの変更が、光ディスクを再生する前に、光ディスク面上の所定の領域で、あらかじめ前記欠陥管理機能を動作させ、その結果に基づいて、変更されることを特徴とするものである。欠陥検知レベルの変更が、光ディスクを再生する前に行なわれることによって、光ディスクのデータ再生時に、欠陥検知レベルの調整を同時に行なう必要が無くなり、ホストコンピュータからの再生要求に迅速に応答することが可能になり、連続再生時の負荷が発生しない。
【００２１】
請求項３記載の発明は、前記光ディスク面上の所定の領域が、欠陥ブロックと非欠陥ブロックが混在する領域であることを特徴とするものである。前記光ディスク面上の所定の領域を欠陥ブロックと非欠陥ブロックが混在する領域とすることによって、欠陥ブロックが集中している領域全体を走査すること無く、高速な欠陥検知レベルの調整を実施することができる。
【００２２】
請求項４記載の発明は、前記あらかじめ行う欠陥管理機能の光ディスク面上での調査範囲が、前記光ディスク面上の欠陥ブロックが集中している領域の外縁部であることを特徴とするものである。前記あらかじめ行う欠陥管理機能の光ディスク面上での調査範囲が、前記光ディスク面上の欠陥ブロックが集中している領域の外縁部であることによって、欠陥ブロックが集中している領域全体を走査する必要が無くなるため、高速な欠陥検知レベルの調整を実施することができる。
【００２３】
請求項５記載の発明は、前記欠陥検知レベルの変更が、前記光ディスク面上の欠陥ブロックの存在分布に基づくことを特徴とするものである。前記欠陥検知レベルの変更が、前記光ディスク面上の欠陥ブロックの存在分布に基づくことによって、再生互換性上問題となる欠陥の外縁部を容易に特定することができる。
【００２４】
請求項６記載の発明は、光ディスクの欠陥管理機能を有するフォーマットで記録された光ディスクを再生する光ディスク装置であって、光ディスクに対して情報の記録又は再生の少なくとも一方を行なう光ピックアップと、光ディスクを回転させる回転駆動手段と、光ディスクの欠陥管理機能を動作させる欠陥検知手段とを備え、前記欠陥検知手段は、前記光ディスクの欠陥管理機能により作成された欠陥管理情報に基づき、欠陥検知レベルを変更することを特徴とするものである。欠陥検知手段が、光ディスクの欠陥管理機能により作成された欠陥管理情報に基づき、欠陥検知レベルを変更することによって、記録した光ディスク装置以外の光ディスク装置で再生した場合であっても、欠陥管理機能を動作させる欠陥検知手段の欠陥検知レベルを光ディスク装置毎に再調整することが可能となり、光ディスク装置間での再生互換性を向上させることができる。そのため、光ディスクの欠陥管理機能を有するフォーマットで記録された光ディスクを、記録された光ディスク装置以外で再生する場合であっても、欠陥管理機能を動作させるための欠陥検知レベルの光ディスク装置間での差を補正することが可能となり、光ディスク装置間の再生互換性を向上させる光ディスク装置を実現することができる。
【００２５】
請求項７記載の発明は、前記光ディスクの欠陥管理機能を有するフォーマットが、ＣＤ−ＭＲＷとＤＶＤ＋ＭＲＷであることを特徴とするものである。光ディスクの欠陥管理機能を有するフォーマットがＣＤ−ＭＲＷとＤＶＤ＋ＭＲＷであることによって、ＣＤ−ＭＲＷやＤＶＤ＋ＭＲＷの記録方法において、光ディスク装置のサーボ系やピックアップ系の性能差により生じる光ディスク装置間の再生互換性の低下を防止することができる。
【００２６】
（実施の形態１）
以下、光ディスクの欠陥管理機能を有するフォーマットで記録された光ディスクの一例として、ＣＤ−ＭＲＷ又はＤＶＤ＋ＭＲＷの例を用いて、本発明の一実施の形態について、図面を参照しながら説明する。
【００２７】
図１は、本発明の一実施の形態における光ディスク装置の構成を示すブロック図である。図１において、１１は光ディスク、１２はピックアップモジュール、１３はスピンドルモータ、１４はフィードモータ、１５はサーボモジュール、１６は信号処理部、１７はＣＰＵ、１８はメインメモリ、１９はバッファメモリ、１１０はインターフェース、１１１はホストコンピュータである。
【００２８】
光ディスク装置は、ピックアップモジュール１２、スピンドルモータ１３、フィードモータ１４、サーボモジュール１５、信号制御部１６、ＣＰＵ１７、メインメモリ１８、バッファメモリ１９、インターフェース１１０から構成されており、ホストコンピュータ１１１に接続され、光ディスク１１に記録されたデータをホストコンピュータ１１１に出力する。
【００２９】
光ピックアップ手段であるピックアップモジュール１２には、レーザ発光素子（図示せず）を有した光ピックアップが設けられ、光ディスク１１にレーザ光を照射することにより、データの記録または再生を行う。スピンドルモータ１３は光ディスク１１の回転を行ない、光ピックアップの移動手段であるフィードモータ１４はピックアップモジュール１２をスピンドルモータ１３に近づいたり離れたり移動させ、サーボモジュール１５はフィードモータ１４の移動とスピンドルモータ１３の回転数を制御する。インターフェース１１０は、ホストコンピュータ１１１とのデータ信号の送信および受信を行い、ＣＰＵ１７はメインメモリ１８を備え、メインメモリ１８に記録されたプログラムにより、サーボモジュール１５、信号制御部１６、およびインターフェース１１０の制御などを行う。バッファメモリ１９は、光ディスク１１から読み込んだデータを一時的に記憶し、インターフェース１１０経由でホストコンピュータ１１１へ転送する領域である。
【００３０】
再生時に行なう欠陥検知レベルの設定は、主として、信号制御部１６におけるエラー訂正レベルの設定、メインメモリ１８に記録されたプログラムによる再生再履行回数の設定、およびバッファメモリ１９内に格納された再生データの判定により行われる。
【００３１】
次に、本実施の形態における光ディスクの領域構成について、図２、図３を用いて説明する。
【００３２】
図２、図３は、本発明の一実施の形態における光ディスク面上の領域構成例を示す図である。
【００３３】
図２の場合では、光ディスクの内周側の特定位置に欠陥管理情報が置かれ、光ディスクの外周に向かって代替ブロックを格納するスペア領域とユーザーデータを記録するデータ領域が交互に配置されている。図３の場合では、光ディスクの内周側の特定位置に欠陥管理情報が置かれ、光ディスクの外周に向かって代替ブロックを格納するスペア領域、それに続くユーザーデータを記録するデータ領域、最後に予備のスペア領域が配置されている。図２の場合は代替ブロックへの高速アクセスが要求される場合に用いられ、図３は連続記録または連続再生の容易さが求められる場合に使用される。
【００３４】
次に、本実施の形態における光ディスク面上の領域構成とそれに対応する欠陥管理情報表について、図４を用いて説明する。
【００３５】
図４は、本発明の一実施の形態における光ディスク面上の領域構成とそれに対応する欠陥管理情報表を示す図であり、図４（ａ）は光ディスク面上の領域構成を示しており、図４（ｂ）は欠陥管理機能における欠陥管理情報表を示している。図４において、ｄ１、ｄ２は欠陥ブロックであり、ｒ１、ｒ２は代替ブロックである。ここで、欠陥ブロックとは欠陥セクタを意味し、代替ブロックとは代替セクタを意味する。
【００３６】
光ディスク装置のデータ記録中に、データ領域内で欠陥ブロックｄ１、ｄ２などが発生した場合、スペア領域から使用可能な代替ブロックｒ１、ｒ２などを確保し、この代替ブロックｒ１、ｒ２に対して欠陥ブロックｄ１、ｄ２へ記録しようとしたデータを待避させる。また、光ディスク装置のデータ再生中に、データ領域内で欠陥ブロックｄ１、ｄ２などが発生した場合、スペア領域から使用可能な代替ブロックｒ１、ｒ２を確保し、この代替ブロックｒ１、ｒ２に対して欠陥ブロックｄ１、ｄ２から読み出せたデータを待避する。
【００３７】
どちらの場合も、欠陥管理情報内の欠陥管理情報表に欠陥ブロックｄ１、ｄ２と代替ブロックｒ１、ｒ２のアドレス対応関係を登録し、欠陥管理情報表を更新する。
【００３８】
図５は、本発明の一実施の形態における欠陥ブロックの存在分布を示す図である。
【００３９】
光ディスク面上に傷や指紋に起因する欠陥領域が存在する場合には、欠陥ブロックが集中している欠陥領域の外縁部を除いた欠陥領域内部では欠陥ブロック数は急速に立ち上がる。このような欠陥領域内部では、エラー訂正の許容値を大きく超えて明らかな欠陥と認識されるため、光ディスク装置の個体差に影響されにくい。このため、光ディスク装置間の再生互換性も確保される。
【００４０】
一方、欠陥ブロックが集中している欠陥領域の外縁部では、欠陥ブロックと非欠陥ブロックが混在することや、非欠陥ブロックの再生難易度が直前の欠陥の影響を受けやすいなどの理由で、光ディスク装置のサーボ性能やピックアップ性能の影響を受け、光ディスク装置間の個体差が顕在化する。このため、光ディスク装置間の再生互換性を確保することが非常に困難になる。
【００４１】
そこで、図５に示すように、この再生互換性確保が困難な欠陥ブロック数が立ち上がる直前と立下る直後の欠陥ブロックと非欠陥ブロックが混在している領域を欠陥遷移域と定義する。本実施の形態では、図５に示すように、欠陥ブロック数に対して欠陥遷移判定閾値を設け、欠陥ブロックが集中している欠陥領域の外縁部で、かつその閾値以下の領域を欠陥遷移域とし、欠陥遷移域の光ディスク半径方向の中心と欠陥ブロック数０のポイントが重なるように設定しているが、これに限定されるものではない。
【００４２】
次に、光ディスク装置の再生前における欠陥検知レベルの決定処理について、図６を用いて説明する。
【００４３】
図６は、本発明の一実施の形態における光ディスク装置の再生前における欠陥検知レベルの決定処理を示すフローチャートである。
【００４４】
光ディスク装置は、光ディスク１１がセットされる（Ｓ１１）と、スピンドルモータ１３を回転させ、フィードモータ１４によりピックアップモジュール１２を移動させ、光ディスク１１の特定位置に書き込まれている欠陥管理情報を読み込む（Ｓ１２）。次に、ピックアップモジュール１２から信号処理部１６を介してＣＰＵ１７に送られてくる信号を基に欠陥管理情報の有無（Ｓ１３）を確認する。
【００４５】
光ディスク１１の欠陥管理機能を有するフォーマットで記録されていない光ディスク１１であれば、光ディスク１１面上に欠陥管理情報が無いため、ＣＰＵ１７は欠陥検知レベルの決定処理を終了し（Ｓ３１）、光ディスクの欠陥管理機能を有するフォーマットで記録されている光ディスク１１であれば、光ディスク１１面上に登録済み欠陥が存在するかどうかの識別を行なう（Ｓ１４）。登録済み欠陥が存在しない場合であれば、ＣＰＵ１７は欠陥検知レベルの決定処理を終了する（Ｓ３２）。登録済み欠陥が存在する場合は、ＣＰＵ１７は、前記欠陥管理機能により作成された欠陥管理情報によって欠陥ブロック存在分布を判定し（Ｓ１５）、欠陥検知手段である信号処理部１６に対して欠陥遷移域を決定する（Ｓ１６）。
【００４６】
その後、ピックアップモジュール１２は決定した光ディスク１１面上の欠陥ブロックと非欠陥ブロックが混在する領域である欠陥遷移域内の非欠陥ブロックを読み込み（Ｓ１７）、正常に読み込めたかどうかを判定する（Ｓ１８）。通常、光ディスク１１面上の欠陥ブロックと非欠陥ブロックが混在する領域である欠陥遷移域は、光ディスク１１面上の欠陥ブロックが集中している領域の外縁部に現れることが多い。
【００４７】
正常に読めた場合には、ＣＰＵ１７は欠陥検知手段である信号処理部１６に対して、現在の欠陥検知レベルを信号処理部１６に記憶させ（Ｓ２１）終了する（Ｓ３３）。正常に読めなかった場合には、ＣＰＵ１７は欠陥検知手段である信号処理部１６に対して、欠陥検知レベルの再調整を指示する（Ｓ１９）。
【００４８】
欠陥検知レベルの再調整（Ｓ１９）は、ＣＤ系の場合、Ｃ１エラー／Ｃ２エラーなどの欠陥検知レベルの閾値を甘くして、またＤＶＤ系ではＰＩエラー／ＰＯエラーのエラー閾値などを甘くし、いずれの場合にも再生リトライ回数を増やす。
【００４９】
次に、欠陥検知手段である信号処理部１６は、欠陥検知レベルが再調整可能かどうかの判定を行なう（Ｓ２０）。欠陥検知レベルが調整可能範囲を超えている場合には、欠陥検知レベルに初期値を採用する（Ｓ３４）。
【００５０】
欠陥検知レベルが調整可能範囲である場合には、再度欠陥遷移域内の非欠陥ブロックを読み込む（Ｓ１７）。
【００５１】
以下、正常に読めるか、欠陥検知レベルが調整不可能になるまで、再度欠陥遷移域内の非欠陥ブロックを読み込み（Ｓ１７）、正常に読み込めたかどうかの判定を行なうか（Ｓ１８）、もしくは再度欠陥遷移域内の非欠陥ブロックを読み込み（Ｓ１７）、正常に読み込めたかどうかの判定を行い（Ｓ１８）、欠陥検知レベルを再調整し（Ｓ１９）、欠陥検知レベルが再調整可能かどうかの判定を行なう（Ｓ２０）の処理を繰り返す。
【００５２】
光ディスク装置の再生前における欠陥検知レベルの決定処理が終了したら（Ｓ３１、Ｓ３２、Ｓ３３）、光ディスクの再生動作に移行する。
【００５３】
本実施の形態では、欠陥検知レベルの変更が、光ディスク１１を再生する前に、光ディスク１１面上の所定の領域で、あらかじめ欠陥管理機能を動作させ、その結果に基づいて、欠陥検知レベルが変更されることとし、光ディスク１１面上の所定の領域は欠陥ブロックと非欠陥ブロックが混在する領域であることとした。こうすることにより、光ディスク１１のデータ再生時に、欠陥検知レベルの調整を同時に行なう必要が無くなり、ホストコンピュータからの再生要求に迅速に応答することが可能になり、連続再生時の負荷が発生すること無い。また、欠陥ブロックが集中している領域全体を走査すること無く、高速な欠陥検知レベルの調整を実施することができる。
【００５４】
また、本実施の形態では、あらかじめ行う欠陥管理機能の光ディスク面上での調査範囲を、光ディスク１１面上の欠陥ブロックが集中している領域の外縁部であることとし、欠陥検知レベルの変更は、光ディスク面上の欠陥ブロックの存在分布に基づくものとした。こうすることにより、欠陥ブロックが集中している領域全体を走査する必要が無くなるため、高速な欠陥検知レベルの調整を実施することができることや再生互換性上問題となる欠陥の外縁部を容易に特定することができる。
【００５５】
さらに、本実施の形態では、光ディスクの欠陥管理機能を有するフォーマットが、ＣＤ−ＭＲＷとＤＶＤ＋ＭＲＷであることとした。こうすることにより、ＣＤ−ＭＲＷやＤＶＤ＋ＭＲＷの記録方法において、光ディスク装置のサーボ系やピックアップ系の性能差により生じる光ディスク装置間の再生互換性の低下を防止することができる。
【００５６】
これらのことにより、記録した光ディスク装置以外の光ディスク装置で再生した場合であっても、欠陥管理機能を動作させる欠陥検知レベルを光ディスク装置毎に再調整することが可能となり、光ディスク装置間での再生互換性を向上させることができる。
【００５７】
そのため、光ディスクの欠陥管理機能を有するフォーマットで記録された光ディスクを、記録された光ディスク装置以外で再生する場合であっても、欠陥管理機能を動作させるための欠陥検知レベルの光ディスク装置間での差を補正することが可能となり、光ディスク装置間の再生互換性を向上させる光ディスク再生方法および光ディスク装置を実現することができる。
【００５８】
なお、本実施の形態では、欠陥検知レベルの変更が、光ディスクを再生する前に、光ディスク１１面上の所定の領域で、あらかじめ欠陥管理機能を動作させ、その結果に基づいて、欠陥検知レベルが変更されることとし、光ディスク１１面上の所定の領域は欠陥ブロックと非欠陥ブロックが混在する領域としたが、欠陥検知レベルの変更が、光ディスク１１を再生する前に、光ディスク１１面上の所定の領域で、あらかじめ欠陥管理機能を動作させ、その結果に基づいて、前記欠陥検知レベルが変更されることとし、光ディスク１１面上の所定の領域は欠陥ブロックと非欠陥ブロックが混在する領域とすることに限定されるものではない。光ディスク１１のデータ再生時に、欠陥検知レベルの調整を同時に行なう必要が無くなり、ホストコンピュータからの再生要求に迅速に応答することが可能になり、また、連続再生時の負荷が発生すること無く、また、欠陥ブロックが集中している領域全体を走査すること無く、高速な欠陥検知レベルの調整を実施しようと思えば、欠陥検知レベルの変更が、光ディスクを再生する前に、光ディスク面上の所定の領域で、あらかじめ欠陥管理機能を動作させ、その結果に基づいて、欠陥検知レベルが変更されることとし、光ディスク面上の所定の領域は欠陥ブロックと非欠陥ブロックが混在する領域とすることが好ましい。
【００５９】
また、本実施の形態では、あらかじめ行う欠陥管理機能の光ディスク面上での調査範囲を、光ディスク１１面上の欠陥ブロックが集中している領域の外縁部であることとし、欠陥検知レベルの変更は、光ディスク１１面上の欠陥ブロックの存在分布に基づくものとしたが、あらかじめ行う欠陥管理機能の光ディスク面上での調査範囲は、光ディスク１１面上の欠陥ブロックが集中している領域の外縁部であることとし、欠陥検知レベルの変更は、前記光ディスク面上の欠陥ブロックの存在分布に基づくものに限定されるものではない。欠陥ブロックが集中している領域全体を走査する必要が無くなるため、高速な欠陥検知レベルの調整を実施することができることや再生互換性上問題となる欠陥の外縁部を容易に特定しようと思えば、あらかじめ行う欠陥管理機能の光ディスク１１面上での調査範囲を、光ディスク１１面上の欠陥ブロックが集中している領域の外縁部であることとし、欠陥検知レベルの変更は、光ディスク１１面上の欠陥ブロックの存在分布に基づくものが好ましい。
【００６０】
さらに、本実施の形態では、光ディスクの欠陥管理機能を有するフォーマットが、ＣＤ−ＭＲＷとＤＶＤ＋ＭＲＷであることとしたが、光ディスクの欠陥管理機能を有するフォーマットは、ＣＤ−ＭＲＷとＤＶＤ＋ＭＲＷに限定されるものではない。ＣＤ−ＭＲＷやＤＶＤ＋ＭＲＷの記録方法において、光ディスク装置のサーボ系やピックアップ系の性能差により生じる光ディスク装置間の再生互換性の低下を防止しようと思えば、ＣＤ−ＭＲＷとＤＶＤ＋ＭＲＷであることが好ましい。
【産業上の利用可能性】
【００６１】
本発明は、光ディスクの欠陥管理機能を有するフォーマットで記録された光ディスクを、記録された光ディスク装置以外で再生する場合であっても、欠陥管理機能を動作させるための欠陥検知レベルの光ディスク装置間での差を補正することが可能となり、光ディスク装置間の再生互換性を向上させる光ディスク再生方法および光ディスク装置を実現することができ、光ディスクに対して情報の再生を行なう光ディスク再生方法および光ディスク装置などに適応可能である。
【図面の簡単な説明】
【００６２】
【図１】本発明の一実施の形態における光ディスク装置の構成を示すブロック図
【図２】本発明の一実施の形態における光ディスク面上の領域構成例を示す図
【図３】本発明の一実施の形態における光ディスク面上の領域構成例を示す図
【図４】本発明の一実施の形態における光ディスク面上の領域構成とそれに対応する欠陥管理情報表を示す図
【図５】本発明の一実施の形態における欠陥ブロックの存在分布を示す図
【図６】本発明の一実施の形態における光ディスク装置の再生前における欠陥検知レベルの決定処理を示すフローチャート
【図７】従来の光ディスク装置の構成を示すブロック図
【符号の説明】
【００６３】
１１    光ディスク
１２    ピックアップモジュール
１３    スピンドルモータ
１４    フィードモータ
１５    サーボモジュール
１６    信号処理部
１７    ＣＰＵ
１８    メインメモリ
１９    バッファメモリ
１１０    インターフェース
１１１    ホストコンピュータ
【図１】
2006190369.tif 000003
【図２】
2006190369.tif 000004
【図３】
2006190369.tif 000005
【図４】
2006190369.tif 000006
【図５】
2006190369.tif 000007
【図６】
2006190369.tif 000008
【図７】
2006190369.tif 000009